(57)【要約】【課題】スリット付きコルゲートチューブをワイヤハーネスに外装する動作でスリットが閉鎖できるようにする。【解決手段】コルゲートチューブは円環状の本体の一部に軸線全長に沿った帯状切欠を設け、該帯状切欠の両側縁から径方向外方へ突出する一対の突片を対向して設け、一方の前記突片の対向面の突出方向の中間部に係止凸部を設ける一方、他方の突片の対向面に前記係止凸部を嵌合する係止凹部を設け、該係止凹部と係止凸部とを係止して前記帯状切欠を閉塞する構成とし、外装治具に前記係止凹部と係止凸部とを係止するロック部を設ける。【選択図】図４
2014045628.tif 000002
【特許請求の範囲】
【請求項１】
環状の山部と谷部とを軸線方向に交互に設けた樹脂成形品からなるワイヤハーネス用のコルゲートチューブであって、
円環状の本体の一部に軸線全長に沿った帯状切欠を設け、該帯状切欠の両側縁から径方向外方へ突出する一対の突片を対向して設け、一方の前記突片の対向面の突出方向の中間部に係止凸部を設ける一方、他方の突片の対向面に前記係止凸部を嵌合する係止凹部を設け、該係止凹部と係止凸部とを係止して前記帯状切欠を閉塞する構成としていることを特徴とするワイヤハーネス用のコルゲートチューブ。
【請求項２】
前記一対の突片の基部を屈曲させて前記帯状切欠の対向する端縁に連続させ、かつ、前記対向する基部から互いに重ね合う閉鎖片を突設し、該閉鎖片で前記円環状の本体の帯状切欠を塞ぐ構成としている請求項１に記載のワイヤハーネス用のコルゲートチューブ。
【請求項３】
請求項１または請求項２に記載のコルゲートチューブをワイヤハーネスに外装する治具であって、
ワイヤハーネスの電線束を下方から受けるＵ字状の底部と、該底部を挟むと共に前端から後端にかけて次第に高くなるように傾斜させた両側部と、該両側部の上辺を外方に折り曲げた鍔部を備えた本体部と、
前記両側部の前部外面の底部に近接した位置からそれぞれ断面Ｌ字状に突出させた分割ジップロック部と、該両側部の前端から前記分割ジップロック部の前端に連続して突出する断面凹状の一体ジップロック部とからなるロック部を備え、該一体ジップロック部は前端に向けて次第に幅狭とし、前記コルゲートチューブの突片の係止凸部が係止凹部に押し込められる形状としていることを特徴とするコルゲートチューブの外装治具。
【請求項４】
請求項３に記載のコルゲートチューブの外装治具を用いて請求項１または請求項２のコルゲートチューブをワイヤハーネスに外装する方法であって、
前記外装治具の本体部の底部をワイヤハーネスに下方からあてがうと共に、前記両側の鍔部にコルゲートチューブの両側の突片を当接させて前記帯状切欠を拡げて保持し、該状態で前記コルゲートチューブを外装治具の両側部に沿って傾斜させて送り出し、
前記外装治具の前部側に前記コルゲートチューブが達すると、前記分割ジップロック部に前記コルゲートチューブの両側の突片がそれぞれ挿入され、さらに前進すると前記一体ジップロック部に前記両側の突片が挿入されて該両側の突片に設けた前記係止凹部に係止凸部が係止されることを特徴とするコルゲートチューブのワイヤハーネス外装方法。
【発明の詳細な説明】
【技術分野】
【０００１】
本発明はワイヤハーネス外装用のコルゲートチューブ、該コルゲートチューブの外装治具および該外装治具を用いたコルゲートチューブの外装方法に関し、詳しくは、スリット付きコルゲートチューブにおいて、ワイヤハーネスをコルゲートチューブにスリットを開いて挿通後に該スリットを閉鎖できる形状にすると共に、該コルゲートチューブにワイヤハーネスを挿通する治具を用いて挿通とスリットの閉鎖を一度の動作で行える外装治具に関するものである。
【背景技術】
【０００２】
自動車に配索するワイヤハーネスの外装材として、軸線方向に環状の山部と谷部を交互に連続させた合成樹脂製のコルゲートチューブが汎用されている。該コルゲートチューブとして、軸線方向の全長に設けたスリットを拡開しながら電線束の外周にコルゲートチューブを側方から外装するスリット付きコルゲートチューブが用いられる場合が多い。該スリット付きコルゲートチューブはスリット無しコルゲートチューブと比較してワイヤハーネスの挿通作業性が良い利点があるが、屈曲箇所ではスリットが開き、スリットからワイヤハーネスの電線がはみ出しやすく、かつ、スリット両側のエッジと電線が接触して損傷を受ける恐れがある。そのため、該スリット付きコルゲートチューブは全長に粘着テープを巻き付けてスリットが開かないようにする必要があり、作業手数がかかると共に、コルゲートチューブが硬くなり、屈曲性が低下する問題がある。
【０００３】
前記問題に対して、特開２０００−２８７３３０号公報（特許文献１）に、図６（Ａ）〜（Ｃ）に示すような、コルゲートチューブ１００のスリット１０１の両端縁に沿って、互いに係止するロック爪１０２と１０３を突設しているコルゲートチューブが提案されている。
【先行技術文献】
【特許文献】
【０００４】
【特許文献１】特開２０００−２８７３３０号公報
【発明の概要】
【発明が解決しようとする課題】
【０００５】
前記特許文献１に開示されたコルゲートチューブ１００は、フック形状のロック爪１０２と１０３とを係合することによりスリット１０１を閉じることができるが、コルゲートチューブ１００を屈曲した際や力が加わった際に、ロック爪１０２と１０３とが外れ、スリット１０１が開いて、挿通した電線がスリット１０１よりはみ出す恐れがある。
【０００６】
また、下向きに屈曲させたロック爪１０２と上向きに屈曲させたロック爪１０３との係合方法は、ロック爪１０２と１０３とを擦り合うようにズラせて、握り合うように係合させると記載されているだけである。即ち、コルゲートチューブをワイヤハーネスに被せた時に自動的にロック爪が係合される方法や、係合機構を備えたコルゲートチューブ用外装治具が開示されていないため、前記ロック爪１０２と１０３の係合作業は作業員が行うと想定される。しかしながら、このロック爪を係合して閉じる作業は、コルゲートチューブの全長で行う必要があるため、作業手数がかかる問題がある。
【０００７】
本発明は前記問題に鑑みてなされたものであり、全長にスリットを設けたコルゲートチューブを、治具を用いて、ワイヤハーネスの電線群に被せる挿通作業時に同時にスリット閉じ動作も行えるようにして作業性を高めると共に、コルゲートチューブの閉じられたスリットが簡単に開かない構造とすることを課題としている。
【課題を解決するための手段】
【０００８】
前記課題を解決するため、第１の発明として、環状の山部と谷部とを軸線方向に交互に設けた樹脂成形品からなるワイヤハーネス用のコルゲートチューブであって、
円環状の本体の一部に軸線全長に沿った帯状切欠を設け、該帯状切欠の両側縁から径方向外方へ突出する一対の突片を対向して設け、一方の前記突片の対向面の突出方向の中間部に係止凸部を設ける一方、他方の突片の対向面に前記係止凸部を嵌合する係止凹部を設け、該係止凹部と係止凸部とを係止して前記帯状切欠を閉塞する構成としていることを特徴とするワイヤハーネス用のコルゲートチューブを提供している。
【０００９】
前記のように、本発明のコルゲートチューブは断面円環形状のコルゲートチューブに細い線状のスリットを設ける代わりに、広幅のスリットに相当する帯状切欠を設け、この幅広の帯状切欠の両端縁から係止凸部と係止凹部を備えた一対の突片を突設し、この対向する突片の係止凸部と係止凹部を係止する構成とし、言わばスリットの両端縁に沿って互いに係止するジッパーを突設し、該ジッパーを閉じて、全体断面形状が涙型になる形状としている。
前記係止凸部と係止凹部との係止部はコルゲートチューブの円環状の本体に位置せず、外方へ突出した位置にあるため、円環状の本体に挿通しているワイヤハーネスからの負荷を直接的に受けないため、係止が外れにくく、スリットを開きにくくできるため、スリットからのワイヤハーネスの電線のはみ出しを防止できる。よって、電線の損傷発生の防止を図れると共に、スリットの開き防止用に粘着テープをコルゲートチューブの全長に巻き付ける必要がなくなり、製造コストを低下できる。
【００１０】
特に、本発明のコルゲートチューブは、円環状の本体の外周の一部に円弧状に連続した状態で互いに係止する係止部を設けず、コルゲートチューブの円環状の本体から外径方向に突出する一対の突片に係止部を設けているため、後述するコルゲートチューブの外装治具で、コルゲートチューブをワイヤハーネスに被せる動作に連続して、前記一対の突片の係止凸部と係止凹部を容易に係止することができ、コルゲートチューブのワイヤハーネスへの外装動作と、その後のスリットの閉鎖動作とを前記外装治具の一度の動作で連続的に行うことができる。
【００１１】
本発明の前記コルゲートチューブは、前記一対の突片の基部を屈曲させて前記帯状切欠の対向する端縁に連続させ、かつ、前記対向する基部から互いに重ね合う閉鎖片を突設し、該閉鎖片で前記円環状の本体の帯状切欠を塞ぐ構成とすることが好ましい。
【００１２】
前記のように、突片の基部を屈曲させてエッジを設けない形状とすると、コルゲートチューブ内の電線群に損傷を発生させず、かつ、重ね合わせる前記閉鎖片で帯状切欠を塞ぎ本体を無端の円環状にすることで、電線が前記係止凹部と係止凸部の係止部に噛み込むのを防止することができる。
【００１３】
第２の発明として、前記コルゲートチューブをワイヤハーネスに外装するコルゲートチューブの外装治具を提供している。該外装治具は、
ワイヤハーネスの電線束を下方から受けるＵ字状の底部と、該底部を挟むと共に前端から後端にかけて次第に高くなるように傾斜させた両側部と、該両側部の上辺を外方に折り曲げた鍔部を備えた本体部と、
前記両側部の前部外面の底部に近接した位置からそれぞれ断面Ｌ字状に突出させた分割ジップロック部と、該両側部の前端から前記分割ジップロック部の前端に連続して突出する断面凹状の一体ジップロック部とからなるロック部を備え、前記一体ジップロック部は前端に向けて次第に幅狭とし、前記コルゲートチューブの突片の係止凸部が係止凹部に押し込められる形状としていることを特徴とする。
【００１４】
さらに、第３の発明として、前記コルゲートチューブの外装治具を用いたコルゲートチューブの外装方法を提供している。該外装方法は、
前記外装治具の本体部の底部をワイヤハーネスに下方からあてがうと共に、前記両側の鍔部にコルゲートチューブの両側の突片を当接させて前記帯状切欠を拡げて保持し、該状態で前記コルゲートチューブを外装治具の両側部に沿って傾斜させて送り出し、
前記外装治具の前部側に前記コルゲートチューブが達すると、前記分割ジップロック部に前記コルゲートチューブの両側の突片がそれぞれ挿入され、さらに前進すると前記一体ジップロック部に前記両側の突片が挿入されて該両側の突片に設けた前記係止凹部に係止凸部が係止されることを特徴とする。
【００１５】
このように、本発明のコルゲートチューブの外装治具を用いると、ワイヤハーネスにコルゲートチューブを被せ、コルゲートチューブへのワイヤハーネスの挿通作業時に、該コルゲートチューブに設けた一対の突片の係止凸部と係止凹部とのロック結合を同時に行うことができ、作業性を高めることができる。
【発明の効果】
【００１６】
前記のように、本発明に係わるコルゲートチューブは、円環状の本体の一部に幅広スリットに相当する帯状切欠を設け、該帯状切欠の両側縁から互いに係止する係止凸部と係止凹部を設けた突片を設けているため、スリットを閉じるロックが本体の円周上ではなく径方向の外方でなされるため、本体を挿通する電線群による負荷がロック部に直接的にかからず、口開きが発生しにくい構成となる。よって、ワイヤハーネスを屈曲配索してもスリットが開いて電線がはみだし、電線に損傷が発生するのを防止できる。
さらに、テープ巻きを不要とできるため、コルゲートチューブの外装作業性を高めることができると共に、コルゲートチューブを外装した状態でのワイヤハーネスの屈曲性が損なわれない。
【００１７】
また、本発明の前記外装治具を用いて前記コルゲートチューブをワイヤハーネスに外装すると、コルゲートチューブの本体へのワイヤハーネスの通し作業時に連続してコルゲートチューブの係止凸部と係止凹部とを係止するロック作業を行うことができ、コルゲートチューブの外装作業性を高めることができる。
【図面の簡単な説明】
【００１８】
【図１】本発明のコルゲートチューブの実施形態を示し、（Ａ）は斜視図、（Ｂ）は要部拡大図である。
【図２】図１のコルゲートチューブにワイヤハーネスを挿通した状態を示す断面図である。
【図３】本発明の外装治具の実施形態を示し、（Ａ）は斜視図、（Ｂ）は正面図、（Ｃ）は平面図、（Ｄ）は（Ｂ）のＤ−Ｄ線断面図、（Ｅ）は（Ｂ）のＥ−Ｅ線断面図である。
【図４】（Ａ）〜（Ｇ）は前記コルゲートチューブを前記外装治具を用いてワイヤハーネスに外装する工程を示す図面である。
【図５】（Ａ）〜（Ｃ）は本発明のコルゲートチューブの変形例を示す図面である。
【図６】（Ａ）〜（Ｃ）は従来例を示す図面である。
【発明を実施するための形態】
【００１９】
以下、本発明の実施形態を図面を参照して説明する。
図１（Ａ）（Ｂ）に実施形態のコルゲートチューブを示す。コルゲートチューブ１は自動車に配索するワイヤハーネスの電線群Ｗに外装する樹脂成形品からなる、所謂、スリット付きのコルゲートチューブである。
【００２０】
コルゲートチューブ１は円環状の山部３と谷部４を軸線方向に交互に設けた本体２の周方向の一部に軸線全長に沿って、幅広のスリットに相当する帯状切欠５を設けている。該帯状切欠５の両側縁から一対の突片６、７を径方向の外方に対向して突出している。
【００２１】
一方の突片６の対向面の突出方向の中間部に係止凸部８を設ける一方、他方の突片７の対向面に前記係止凸部８を嵌合する係止凹部９を設け、該係止凹部９と係止凸部８とを係止して帯状切欠５を閉塞する構成としている。
また、帯状切欠５の対向する端縁に連続させる突片６、７の基部に円弧状の屈曲部６ａ、７ａを設け、前記係止凹部９と係止凸部８とを係止した状態で、コルゲートチューブ１の全体断面形状が所謂涙型を呈するようにしている。
【００２２】
前記コルゲートチューブ１は、一対の突片６、７を離反し、帯状切欠５を拡げて本体２の内部にワイヤハーネスの電線Ｗを通し、その後、突片６、７の係止凸部８と係止凹部９とをロック結合し、図２に示すように、ワイヤハーネスにコルゲートチューブ１を外装している。
【００２３】
前記のように、コルゲートチューブ１をワイヤハーネスに外装するための外装治具１０を図３に示す。
外装治具１０は樹脂成形品で、ワイヤハーネスの電線束を下方から受けるＵ字状の底部１１と、該底部１１を挟むと共に前端から後端にかけて次第に高くなるように傾斜させた両側部１２（１２Ａ、１２Ｂ）と、該両側部１２の上辺を外方に折り曲げた鍔部１３（１３Ａ、１３Ｂ）を備えた本体部１５を備えている。該鍔部１３は両側部１２の前端から所要寸法Ｌあけた位置の上辺から後端まで連続して設けている。
前記本体部１５の形状は従来より用いられている治具と略同形状であり、底部に両側部１２の間隔を狭くしてコルゲートチューブのスリットに嵌合しやすくするために複数の開口１７ｈを設けると共に、両側部１２に把持用および不使用時に保管場所への引っ掛用の開口１２ｐをもうけている。
この外装治具１０の本体部１５に前記コルゲートチューブ１の突片６、７に設けた係止凸部８と係止凹部９とを係止するためのロック部１６を一体に設けていることを特徴としている。
【００２４】
ロック部１６は、前記両側部１２（１２Ａ、１２Ｂ）の各前部側の外面の底部１１に近接した位置からそれぞれ断面Ｌ字状に突出させた分割ジップロック部１７Ａ、１７Ｂと、これら分割ジップロック部１７Ａ、１７Ｂの前端に連続する一体ジップロック部１８からなる。
【００２５】
分割ジップロック部１７Ａ、１７Ｂの長さは前記寸法Ｌに略相当する長さとしている。この上向きに開口する前記断面Ｌ字状の分割ジップロック部１７Ａ、１７Ｂの前端は両側部１２の前端位置で底部１１の略下面に位置する。分割ジップロック部１７Ａ、１７Ｂの前端に断面凹状の一体ジップロック部１８として連続して設け、底部１１の下面から一体ジップロック部１８を前方へ突出している。該一体ジップロック部１８は図３（Ｃ）に示すように、前方に向かって次第に幅狭とし、窪み空間１８ｃの前端の幅Ｓは、突片６の係止凸部８が突片７の係止凹部９に強制的に押し込まれる寸法に設定している。これにより、突片６と７がそれぞれ分割ジップロック部１７Ａ、１７Ｂから一体ジップロック部１８に挿入されてくると、互いに近接方向へ押さえ、一体ジップロック部１８の前端位置で係止凹部９に係止凸部８が押し込められて自動的にロックがかかるものとしている。
【００２６】
前記のように、コルゲートチューブの外装治具１０は、ロック部１６の一体ジップロック部１８を本体部１５の底部１１の下面より前方へ突設し、分割ジップロック部１７Ａ、１７Ｂは両側部１２Ａ、１２Ｂの外面に分割して突設しているため、本体部１５の両側部１２Ａと１２Ｂを離反させて開き、近接して閉じる操作を邪魔しないものとしている。
【００２７】
次ぎに、前記外装治具１０を用いてコルゲートチューブ１をワイヤハーネスの電線群Ｗに外装する方法について、図４（Ａ）〜（Ｇ）を参照して説明する。
【００２８】
図４（Ａ）に示すように、外装治具１０の本体部１５のＵ字状の底部１１をワイヤハーネスの電線群Ｗに下方からあてがう。この状態で両側部１２Ａ、１２Ｂはコルゲートチューブ１を挿入する後方が高くなるように傾斜し、底部１１の下面から一体ジップロック部１８が前方へ突出し、電線Ｗの下方に位置する。
【００２９】
次いで、図４（Ｂ）に示すように、コルゲートチューブ１の帯状切欠５を下向きにし、一対の突片６、７を下向きに突出させると共に互いに離反させて開いた状態として、コルゲートチューブ１の前端から外装治具１０の両側部１２Ａ、１２Ｂの上辺の鍔部１３Ａ、１３Ｂに後端より被せる。
【００３０】
この時、図４（Ｃ）に示すように、両側部１２Ａ、１２Ｂの上辺の鍔部１３Ａ、１３Ｂにコルゲートチューブ１の帯状切欠５の両側縁の突片６、７が係合し、コルゲートチューブ１の本体２の両側内部を鍔部１３Ａ、１３Ｂで保持する。帯状切欠５の両端縁から突出する突片６、７は外装治具１０の両側部１２Ａ、１２Ｂの外面に位置する。
【００３１】
ついで、図４（Ｄ）に示すように、コルゲートチューブ１を外装治具１０の両側部１２の傾斜に沿って前方へと送り出す。コルゲートチューブ１の前端が両側部１２の前部側に達すると、図４（Ｅ）に示すように、突片６、７は分割ジップロック部１７Ａ、１７Ｂにそれぞれ挿入され、分割ジップロック部１７Ａ、１７Ｂ内で前進する。
【００３２】
図４（Ｆ）に示すように、外装治具１０により突片６と７が離反されて帯状切欠５が拡げられたコルゲートチューブ１は電線群Ｗに上方から被さり、コルゲートチューブ１の本体２内に電線群Ｗが挿通する状態となる。かつ、分割ジップロック部１７Ａ、１７Ｂ内に、それぞれ挿入されて前進してくる突片６、７は、コルゲートチューブ１の前送りに応じて、図４（Ｇ）に示すように、一体ジップロック部１８に挿入される。該一体ジップロック部１８内では前記のように窪み空間の幅を前端に行くに従って次第に狭くしているため、突片６と７とがスムーズに閉じられ、突片６の係止凸部８が突片７の係止凹部９に強制的に押し込められ、自動的にロックがかかる。
【００３３】
このように、コルゲートチューブ１を外装治具１０を用いてワイヤハーネスの電線群Ｗに被せる一連の動作で、コルゲートチューブ１に設けた係止凸部８を係止凹部９に係止するロック動作を連続して行うことができる。
よって、スリット付きコルゲートチューブを用いる場合に必要であったテープ巻き作業を不要とでき、コルゲートチューブの外装作業性を高めることができる。かつ、テープ巻きを無くすことで、コルゲートチューブの利点である屈曲性が損なわれず、配索作業性も高めることができる。
【００３４】
また、前記コルゲートチューブ１でワイヤハーネスを外装すると、電線群Ｗが接触するコルゲートチューブ１の本体２にはエッジがないため、電線群Ｗに損傷が生じる恐れはない。かつ、幅広のスリットに相当する帯状切欠５を閉じる係止凸部８と係止凹部９とのロック部を本体２から外径方向へ突出した突片６、７に設けているため、挿通する電線群Ｗによる押圧力がロック部に直接的に負荷されず、ロックを外れにくくできる利点もある。
【００３５】
図５（Ａ）〜（Ｃ）にコルゲートチューブ１の変形例を示す。
該コルゲートチューブ１は一対の突片６、７の基部の屈曲部６ａ、７ａの内面から互いに重ね合う閉鎖片２０と２１を突設している。
前記閉鎖片２０と２１は突片６、７を開かれると図５（Ｂ）に示すように離反し、突片６、７の係止凸部８と係止凹部９とが係止して閉じられると、図５（Ｃ）に示すように重なり合い、本体２内に収容する電線群Ｗが係止凸部８と係止凹部９のロック部に噛み込むのを防止できる。
【符号の説明】
【００３６】
１  コルゲートチューブ
２  本体
３  山部
４  谷部
５  帯状切欠
６、７  突片
８  係止凸部
９  係止凹部
１０  外装治具
１１  底部
１２  両側部
１５  本体部
１６  ロック部  
１７Ａ、１７Ｂ  分割ジップロック部
１８  一体ジップロック部
Ｗ  電線群
【図１】
2014045628.tif 000003
【図２】
2014045628.tif 000004
【図３】
2014045628.tif 000005
【図４】
2014045628.tif 000006
【図５】
2014045628.tif 000007
【図６】
2014045628.tif 000008